(57)【特許請求の範囲】
【請求項１】
開口部を通ってスペースに入力する周囲光を制御するための周囲光制御システムに用いられる制御装置であって、前記制御装置は、前記開口部の周囲光特性の予測である周囲光予測値を供給するための周囲光予測ユニットと、互いに異なる周囲光調整時点で、今後の周囲光予測期間の間の前記周囲光予測値に依存して、周囲光調整信号を供給するための周囲光調整ユニットとを有し、前記周囲光調整ユニットは、幾つかの周囲光調整時点で前記周囲光調整信号を周囲光修正要素へ供給して、前記周囲光修正要素により前記開口部を通る前記スペースへの周囲光の入力を修正し、現在の周囲光調整時点での周囲光調整信号が、前記今後の周囲光予測期間の間の前記周囲光予測値に依存して供給され、前記今後の周囲光予測期間は、前記現在の周囲光調整時点から次の周囲光調整時点までの期間であり、所与の時刻に対する前記周囲光予測値は、前記開口部の周囲光特性が前記所与の時刻において周囲光特性閾値を超える確率Ｐ（ν＞β、ｔ）を示し、ここで、ｔは前記所与の時刻であり、νは前記開口部の周囲光特性であり、βは前記周囲光特性閾値である、制御装置。
【請求項２】
前記開口部での周囲光特性が、前記開口部での周囲光の垂直照度である、請求項１に記載の制御装置。
【請求項３】
前記周囲光調整ユニットは、少なくとも一つの周囲光予測閾値と、今後の周囲光予測期間の間の周囲光予測値との比較に依存して、前記周囲光調整信号を供給する、請求項１に記載の制御装置。
【請求項４】
第２の周囲光予測閾値は、第１の周囲光予測閾値より小さく、今後の周囲光予測期間の間の周囲光予測値が、第１の周囲光予測閾値より大きくなく、第２の周囲光予測閾値より小さくないとき、前記周囲光調整信号は、前記開口部を通る前記スペースへの周囲光の入力の修正がなされるべきでないことを示すように、前記周囲光調整ユニットは、前記周囲光調整信号を供給する、請求項３に記載の制御装置。
【請求項５】
前記制御装置は、前記開口部での周囲光特性を示す検知された周囲光値を受信するための検知周囲光受信ユニットを更に有し、前記周囲光予測ユニットは、過去の周囲光検知期間の間に受信された検知周囲光値に依存して、前記周囲光予測値を供給する、請求項１に記載の制御装置。
【請求項６】
過去の周囲光検知期間が過去の一日間以上である、請求項５に記載の制御装置。
【請求項７】
過去の周囲光検知期間が過去の一日間以上であり、前記周囲光予測ユニットは、前記所与の時刻に対する周囲光予測値を、前記過去の一日間以上における前記所与の時刻に対する受信された検知周囲光値に依存して、供給する、請求項５に記載の制御装置。
【請求項８】
前記周囲光調整ユニットは、現在受信された検知周囲光値が、検知周囲光閾値を超える場合、前記開口部を通ってスペースに入力する周囲光の量が低減されるべきことを示すように前記周囲光調整信号を供給する、請求項５に記載の制御装置。
【請求項９】
前記制御装置が予測気象データを受信するための予測気象データ受信ユニットを有し、前記周囲光調整ユニットは、受信された予測気象データに依存して前記周囲光調整信号を供給する、請求項１に記載の制御装置。
【請求項１０】
前記制御装置は、前記スペースが占有されていることを示す検知占有状態を受信するための検知占有状態受信ユニットを有し、前記周囲光調整ユニットは、受信された検知占有状態が前記スペースが占有されていないことを示すとき、前記開口部を通るスペースへの周囲光の入力を修正するための前記周囲光調整信号を供給する、請求項１に記載の制御装置。
【請求項１１】
開口部を通ってスペースに入力する周囲光を制御するための周囲光制御方法に用いられる制御方法であって、当該制御方法は、周囲光予測ユニットにより、前記開口部での周囲光特性の予測である周囲光予測値を供給するステップと、互いに異なる周囲光調整時点で、周囲光調整ユニットにより、今後の周囲光予測期間の間の前記周囲光予測値に依存して周囲光調整信号を周囲光修正要素へ供給して、前記周囲光修正要素により前記開口部を通る前記スペースへの周囲光の入力を修正するステップとを有し、現在の周囲光調整時点での周囲光調整信号が、前記今後の周囲光予測期間の間の前記周囲光予測値に依存して供給され、前記今後の周囲光予測期間は、前記現在の周囲光調整時点から次の周囲光調整時点までの期間であり、所与の時刻に対する前記周囲光予測値は、前記開口部の周囲光特性が前記所与の時刻において周囲光特性閾値を超える確率Ｐ（ν＞β、ｔ）を有し、ここで、ｔは前記所与の時刻であり、νは前記開口部の周囲光特性であり、βは前記周囲光特性閾値である、制御方法。
【請求項１２】
開口部を通ってスペースに入力する周囲光を制御するための周囲光制御システムに用いられるコンピュータプログラムであって、前記コンピュータプログラムは、コンピュータプログラムが制御装置を制御するコンピュータ上で動くとき、請求項１に記載の制御装置により請求項１１に記載の方法のステップを実施するためのプログラムコード手段を有する、コンピュータプログラム。
【請求項１３】
開口部を通ってスペースに入力する周囲光を制御するための周囲光制御システムであって、前記周囲光制御システムは、請求項１に記載の制御装置と、周囲光調整信号に依存して前記開口部を通る前記スペースへの周囲光の入力を修正するための周囲光修正要素とを有する、周囲光制御システム。
【請求項１４】
開口部を通ってスペースに入力する周囲光を制御するための周囲光制御方法であって、前記周囲光制御方法は、請求項１１に記載の制御方法のステップと、前記周囲光修正要素により、周囲光調整信号に依存して前記開口部を通る前記スペースへの周囲光の入力を修正するステップとを有する、周囲光制御方法。
【発明の詳細な説明】
【技術分野】
【０００１】
本発明は、開口部を通ってスペースに入力する周囲光を制御するための周囲光制御システムに用いられる制御装置に関する。本発明は、更に、対応する周囲光制御システム、対応する周囲光制御方法、及び開口部を通ってスペースに入力する周囲光を制御するための周囲光制御方法に使用するための制御方法に関する。
【背景技術】
【０００２】
米国特許第５，６７５，４８７Ａ号は、窓を通る太陽輻射を制御するためのシステムを開示する。当該制御システムは、窓に配置され、窓に入力する太陽輻射を制御するために角度について調節可能である採光用開口ブラインドを有する。第１及び第２の光電子センサが、屋外及び屋内それぞれの側の入射太陽輻射を表わす信号を供給するため採光用開口ブラインドの屋外及び屋内それぞれの側の近くに配置される。電気的モーターが、窓の近くに配置され、ブラインドの角度を制御する態様で採光用開口ブラインドに動作的に接続される。マイクロプロセッサ制御装置は、採光用開口ブラインドの角度を調整するためにモーターに制御信号を供給するために設けられる。１つの動作モードにおいて、マイクロプロセッサは、角度の調整に応じた屋外の側と屋内の側とのそれぞれ入力する太陽輻射を表わす信号の比率と、窓に入力する最小の直接光と最大の間接光とを表わすマイクロプロセッサに格納されたプリセット比率とを比較し、信号の比率がプリセット比率に近くなるまで、角度を調整するように制御信号をモーターに供給し続ける。制御システムは、採光用開口ブラインドの連続調整がユーザの邪魔になり、従って、ユーザに感謝されないという不利な点を持つ。
【発明の概要】
【発明が解決しようとする課題】
【０００３】
本発明の目的は、ユーザの邪魔にあまりならない、開口部を通ってスペースに入力する周囲光を制御するための周囲光制御システムに用いられる制御装置を提供することである。本発明の他の目的は、対応する周囲光制御システム、対応する周囲光制御方法、及び開口部を通ってスペースに入力する周囲光を制御するための周囲光制御方法に使用するための制御方法を提供することにある。
【課題を解決するための手段】
【０００４】
本発明の第１の態様において、開口部を通ってスペースに入力する周囲光を制御するための周囲光制御システムに用いられる制御装置が提供され、前記制御装置は、開口部の周囲光特性の予測である周囲光予測値を供給するための周囲光予測ユニットと、異なる周囲光調整時点で、今後の周囲光予測期間の間の周囲光予測値に依存して、周囲光調整信号を供給するための周囲光調整ユニットとを有し、前記周囲光調整信号は、開口部を通るスペースへの周囲光の入力を修正するための周囲光修正要素による使用に適している。
【０００５】
本発明は、開口部での周囲光特性の予測である周囲光予測値を供給することにより、今後の周囲光予測期間の間、開口部での周囲光特性を予測するか又は予想することが可能である、すなわち、周囲光特性が、例えば次の時間などの間、開口部でどのようになるかについての予測をすることが可能であるという考えに基づく。周囲光調整信号の供給を、開口部での瞬間的な周囲光状況に依存するよりもむしろ、斯様な「長期」予測に依存させることにより、予測された周囲光状況を考慮に入れ、今後の周囲光予測期間の間に、適当であると期待される調整判断をすることが可能である。従って、開口部を通るスペースへの周囲光の入力を連続調整することが必要とされず、異なる、すなわち、時間的に間隔を置いた周囲光調整時点で必要な調整をすることでむしろ十分であり、結果的に、ユーザの邪魔になることが、より少なくなる。
【０００６】
好ましくは、周囲光は昼光であるが、例えば、月光でもあり得る。周囲光は、直接の光、例えば、直接の太陽光だけを有することに限定されず、反射された光又は拡散された光のような他の光を有することもできる。
【０００７】
スペースは、例えば、オフィスビルのオフィスルームのようなビルのルームであり得るし、開口部は、例えば、窓であり得る。
【０００８】
周囲光予測ユニットは、例えば、１年にわたる開口部での周囲光特性の実際の測定を表している記憶データに基づいて、周囲光予測値を提供できる。代わりに、周囲光予測値は、専用の周囲光モデルから導出できる。例えば、周囲光が昼光である場合、斯様なモデルは、１年にわたる太陽の動きについての情報、太陽に対する開口部の相対的な方向、周囲の陰影特性等を考慮に入れてもよい。
【０００９】
異なる周囲光調整時点は、例えば、３０分、１時間又は更に長い時間の任意の適切な時間的間隔を持ってもよい。時間的間隔の実際の選択は、２つの異なる効果の間のトレードオフである。一方では、１つの周囲光調整時点から次の時点まで短めの時間的間隔を使用することは、開口部を通ってスペースに周囲光を入れるためのより頻繁な調整を導くが、調整判断は、今後の周囲光予測期間の間、より適切になる。他方では、１つの周囲光調整時点から次の時点まで長めの時間的間隔を使用することは、開口部を通ってスペースに周囲光を入れるためのより少ない調整を導くが、調整判断は、今後の周囲光予測期間の間、あまり適切でなくなる。
【００１０】
周囲光修正要素は、例えば、開口部に備えられるモーター駆動のブラインド、カーテン、シェーディング等のような調整可能な窓処置部を動かすことにより、開口部を通ってスペースに周囲光を入れるための修正をするのに適している要素である。例えば、周囲光修正要素は、窓に備えられたブラインドを部分的に、又は完全に下げることにより窓を通ってルームに入力する周囲光の量を低減し、ブラインドを部分的に、又は完全に格納することによりルームに入力する周囲光の量を増大するのに適している要素である。
【００１１】
開口部を通るスペースへの周囲光の入力をどのように修正するかは、周囲光調整ユニットにより供給される周囲光調整信号によって周囲光修正要素に示される。周囲光調整信号は、特定の周囲光修正要素により用いられる任意の適切なフォーマットを持つために適している。また、開口部を通るスペースへの周囲光の入力に対する修正がなされるべきでないことを示すために、周囲光調整信号が、所与の周囲光調整時点で周囲光調整ユニットにより供給されないことは可能である。
【００１２】
開口部での周囲光特性が、開口部での周囲光の垂直照度であることが好ましい。
【００１３】
本願で用いられる用語「垂直照度」は、垂直面と直角をなす周囲光の照度の成分を意味することを意図する。例えば、開口部が垂直窓である場合、窓での周囲光の垂直照度は、例えば、窓に対して平行面に保持された照度メーターにより測定されるような、窓に入射する光束の密度に対応する。
【００１４】
周囲光調整ユニットは、幾つかの周囲光調整時点で周囲光調整信号を供給するのに適していて、現在の周囲光調整時点での周囲光調整信号が、今後の周囲光予測期間の間の周囲光予測値に依存して供給され、今後の周囲光予測期間は、現在の周囲光調整時点から次の周囲光調整時点までの期間であることが、更に好ましい。
【００１５】
換言すれば、今後の周囲光予測期間は、２つの連続した周囲光調整時点間の期間である。これは、現在の周囲光調整時点での調整判断を、次の周囲光調整時点までの期間に期待されるちょうどこれらの周囲光状況に依存可能にさせるので、有利である。
【００１６】
周囲光調整ユニットは、少なくとも一つの周囲光予測閾値と、今後の周囲光予測期間の間の周囲光予測値との比較に依存して、周囲光調整信号を供給することが好ましい。
【００１７】
少なくとも一つの周囲光予測閾値と、今後の周囲光予測期間の間の周囲光予測値とを比較することは、今後の周囲光予測期間の間、予測される周囲光状況を分類する簡易なやり方を提供する。適切な調整判断が、その後、この簡易な分類に依存してなされる。
【００１８】
例えば、好適な場合において、周囲光調整ユニットは、
a)今後の周囲光予測期間のための周囲光予測値が、第１の周囲光予測閾値より大きい場合、周囲光調整信号は、開口部を通ってスペースに入力する周囲光の量が、例えば、開口部に備えられるブラインドを完全に下げることにより低減されるべきことを、周囲光修正要素に示し、
b)今後の周囲光予測期間のための周囲光予測値が、第２の周囲光予測閾値より小さい場合、周囲光調整信号は、開口部を通ってスペースに入力する周囲光の量が、例えば、開口部に備えられるブラインドを完全に格納することにより増大されるべきことを、周囲光修正要素に示すように、周囲光修正要素による使用のため周囲光調整信号を供給する。
【００１９】
今後の予測期間の間の周囲光予測値が、第１の周囲光予測閾値より大きくなく、第２の周囲光予測閾値より小さくないとき（ここで、第２の周囲光予測閾値は、第１の周囲光予測閾値より小さい）、周囲光調整信号は、開口部を通るスペースへの周囲光の入力の修正がなされるべきでないことを示すように、周囲光調整ユニットは、周囲光調整信号を供給するのに適していることが、更に好ましい。
【００２０】
これは、更に、開口部を通るスペースへの周囲光の入力の調整量を減らす。
【００２１】
制御装置は、開口部での周囲光特性を示す検知（された）周囲光値を受信するための検知（済）周囲光受信ユニットを有することが更に好ましく、周囲光予測ユニットは、過去の周囲光検知期間の間に受信された検知周囲光値に依存して、周囲光予測値を供給するのに適している。
【００２２】
過去の周囲光検知期間の間に受信された検知周囲光値に依存して周囲光予測値を供給することにより、今後の周囲光予測期間の間、開口部での周囲光特性を予測又は予想するために、検知された周囲光の「履歴」を使用することは可能である。換言すれば、周囲光予測ユニットは、以前に検知された周囲光状況から予測される周囲光状況を「自分で学習する」ことができる。これは、例えば、専用の周囲光モデルのような付加的なデータが、周囲光予測ユニットにより必要とされないという利点を持つ。
【００２３】
過去の周囲光検知期間が一日以上の過去の日を有することが更に好ましく、周囲光予測ユニットは、開口部での周囲光特性が１日の所与の時刻での周囲光特性閾値を超える確率を示すような１日の所与の時刻に対する周囲光予測値を提供するために適している。
【００２４】
前記確率は、例えば、１日のコースにわたって開口部での周囲光特性の時間的分布を統計学的にモデル化することにより決定される。モデルパラメータは、一日以上の過去の日に対して受信された検知周囲光値から、周囲光予測ユニットにより決定できる。斯様なアプローチの利点は、適切な統計分布モデルによって開口部での周囲光特性の１日の変動をモデル化することにより、周囲光予測値の供給に関して、受信された検知周囲光値の外れ値の影響が低減されるということである。良好な結果が、例えば、単純なガウス分布モデルで得られる。
【００２５】
過去の周囲光検知期間が一日以上の過去の日を有することが好ましく、周囲光予測ユニットは、一日以上の過去の日で所与の時刻の間の受信された検知周囲光値に依存して、１日の所与の時刻に対する周囲光予測値を供給するのに適している。
【００２６】
１日の所与の時刻の開口部での周囲光特性が、曇り等による周囲光状況の一時的な変化を無視しながら、１日のコースにわたって単にゆっくりと変化することが期待できる。よって、１日の所与の時刻の間の周囲光予測値が一日以上の過去の１日の所与の時刻の間に受信された検知周囲光値を考慮することにより、全く良好に予測できることが期待される。
【００２７】
どのくらいの過去の日が周囲光予測値の供給のために考慮されるかは、２つの異なる効果の間のトレードオフである。一方では、より少ない過去の日を使用することは、周囲光特性の通常の季節的な変化に対して、予測をより敏感にさせるが、また、曇り等による周囲光状況の一時的な変化により生じる歪みの傾向を持つようになる。他方で、より多くの過去の日を使用することは、周囲光特性の通常の季節的な変化に対して、予測をあまり敏感にさせず、また、曇り等による周囲光状況の一時的な変化により生じる歪みの傾向を持たないようになる。一般に、少なくとも最初に、増大された過去の日に対して受信された検知周囲光値が利用できるようになるので、周囲光予測ユニットの上述された「自己学習」能力のため、供給される周囲光予測値の質は、改善されると期待できる。
【００２８】
周囲光予測ユニットが、一日以上の過去の１日の所与の時刻で開口部での周囲光特性の最大値を示すように、１日の所与の時刻に対する周囲光予測値を供給するのに適していることが、更に好ましい。
【００２９】
今後の周囲光予測期間の周囲光予測値が、このように供給される場合、これらは、合理的に期待できる開口部での周囲光特性の最も高い値を示す。その後、これらの周囲光予測値が調整判断をするために使われる場合、開口部を通ってスペースに入力する周囲光の量がユーザを邪魔しないように低減されることが、より容易に保証される。
【００３０】
周囲光調整ユニットは、現在受信された検知周囲光値が、検知された周囲光閾値を超える場合、開口部を通ってスペースに入力する周囲光の量が低減されることを示すように周囲光調整信号を供給するのに適していることが好ましい。
【００３１】
これは、周囲光調整ユニットが、開口部での現在の周囲光状況に直接また反応することを可能にする。特に、開口部での現在の周囲光特性が非常に「高い」ので、現在受信された検知周囲光値が、検知された周囲光閾値を超えることを示す場合、周囲光調整ユニットが、開口部を通ってスペースに入力する周囲光の量が低減されるべきであるという調整判断を可能にする。好ましくは、この調整判断は、２つの連続した周囲光調整時点の間の任意の時間でなされることができる。
【００３２】
制御装置が予測気象データを受信するための予測気象データ受信ユニットを有することが更に好ましく、周囲光調整ユニット１２は、受信された予測気象データに依存して周囲光調整信号を供給するのに適している。
【００３３】
これは、周囲光調整ユニットが、周囲光調整信号を供給するとき、現在の天気予報を考慮可能にする。斯様な最新の天気予報は非常に信頼性が高いので、最新の天気予報は、周囲光予測ユニットにより供給される周囲光予測値より、良好な根拠を調整判断に提供する。例えば、予報された天気が次の数時間「非常に曇っている」とした場合、供給された周囲光予測値に基づくときと判断が異なる場合であっても、周囲光調整ユニットは、この天気予報に基づいて、開口部を通ってスペースに入力する照明の量が増大されるべきであるという調整判断をする。
【００３４】
制御装置は、スペースが占有されていることを示す検知（された）占有状態を受信するための検知（済）占有状態受信ユニットを有することが好ましく、周囲光調整ユニットは、受信された検知占有状態がスペースが占有されていないことを示すとき、開口部を通るスペースへの周囲光の入力を修正するための周囲光調整信号を供給するのに適している。
【００３５】
こうすることによって、調整により邪魔されるユーザがスペースにいないとき、時々だけ必要な調整をすることが可能である。
【００３６】
本発明の他の態様において、開口部を通ってスペースに入力する周囲光を制御するための周囲光制御方法に用いられる制御方法が提示され、当該制御方法は、周囲光予測ユニットにより、開口部での周囲光特性の予測である周囲光予測値を供給するステップと、異なる周囲光を調整時点で、周囲光調整ユニットにより、今後の周囲光予測期間の間の周囲光予測値に依存して周囲光調整信号を供給するステップとを有し、前記周囲光調整信号は、開口部を通るスペースへの周囲光の入力を修正するための周囲光修正要素による使用のために適している。
【００３７】
本発明の他の態様において、開口部を通ってスペースに入力する周囲光を制御するための周囲光制御システムに用いられるコンピュータプログラムが提示され、コンピュータプログラムは、コンピュータプログラムが制御装置を制御するコンピュータ上で動くとき、請求項１に記載の制御装置により請求項１２に記載の方法のステップを実施するためのプログラムコード手段を有する。
【００３８】
本発明の他の態様において、開口部を通ってスペースに入力する周囲光を制御するための周囲光制御システムが提示され、周囲光制御システムは、請求項１に記載の制御装置と、周囲光調整信号に依存して開口部を通るスペースへの周囲光の入力を修正するための周囲光修正要素とを有する。
【００３９】
開口部を通ってスペースに入力する周囲光を制御するための周囲光制御システムに用いられる制御装置が検知（済）周囲光受信ユニットを有する場合、対応する周囲光制御システムは、適切な周囲光検知ユニットを含むことができる。その上、制御装置が、検知（済）占有状態受信ユニットを有する場合、対応する周囲光システムは、適切な占有状態検知ユニットを含むことができる。
【００４０】
本発明の他の態様では、開口部を通ってスペースに入力する周囲光を制御するための周囲光制御方法が提示され、周囲光制御方法は、請求項１２に記載の制御方法のステップと、周囲光修正要素により、周囲光調整信号に依存して開口部を通るスペースへの周囲光の入力を修正するステップとを有する。
【００４１】
請求項１の開口部を通ってスペースに入力する周囲光を制御するための周囲光制御システムに用いられる制御装置と、請求項１２の対応する制御方法と、請求項１３の対応するコンピュータプログラムと、請求項１４の開口部を通ってスペースに入力する周囲光を制御するための周囲光制御システムと、請求項１５の対応する周囲光制御方法とは、類似及び／又は同一の好ましい実施形態、特に、従属請求項で規定されるような実施形態を持つことは、理解されるべきである。
【００４２】
本発明の好ましい実施形態が、それぞれの独立請求項と従属請求項との任意の組合せでもあり得ることは、理解されるべきである。
【００４３】
本発明のこれら及び他の態様は、これ以降説明される実施形態を参照して明らかに説明されるだろう。
【図面の簡単な説明】
【００４４】
【図１】図１は、開口部を通ってスペースに入力する周囲光を制御するための周囲光制御システムの実施形態を模式的且つ例示的に示す。
【図２】図２は、開口部を通ってスペースに入力する周囲光を制御するための周囲光制御方法の実施形態を例示しているフローチャートを例示的に示す。
【発明を実施するための形態】
【００４５】
図１は、開口部２を通ってスペース１に入力する周囲光を制御するための周囲光制御システム２０の実施形態を模式的且つ例示的に示す。この実施形態において、スペース１はビルのルームであり、開口部２は窓である。周囲光制御システム２０により制御される周囲光は昼光であるが、月光等もあり得る。
【００４６】
周囲光制御システム２０は、開口部２での周囲光特性を示す検知された周囲光値を供給するための周囲光検知ユニット２１を有する。周囲光検知ユニット２１は、開口部２に又はその近くに配置され、検知された周囲光値を示す開口部２での周囲光特性は、開口部２での周囲光の垂直照度である。周囲光制御システムは、更に、開口部２を通るスペース１への周囲光の入力を修正するための周囲光修正要素２２だけでなく制御装置１０を有する。
【００４７】
この実施形態において、周囲光修正要素２２は、開口部２に備えられる、この場合モーター駆動のブラインドである調整可能な窓処置部を有する。他の実施形態において、周囲光修正要素２２は、開口部２に備えられるカーテン、シェード等のような他の調整可能な窓処置部を有してもよい。
【００４８】
制御装置１０は、開口部２での周囲光特性を示す検知された周囲光値を受信するための検知周囲光受信ユニット１３を有する。検知周囲光受信ユニット１３は、周囲光検知ユニット２１から、検知された周囲光値を受信する。周囲光検知ユニット２１と検知周囲光受信ユニット１３との間の接続は、無線接続である。代わりに、接続は、有線接続もあり得る。周囲光検知ユニット２１は、バッテリ給電されるか又は適切な電源システムに接続されている。
【００４９】
制御装置１０は、更に、開口部２での周囲光特性の予測である周囲光予測値を供給するための周囲光予測ユニット１１を有する。この実施形態において、周囲光予測値は、過去の周囲光検知に対して受信された検知周囲光値に依存して、周囲光予測ユニット１１により供給される。
【００５０】
この実施形態において、過去の周囲光検知期間は、一日以上の過去の日を有し、周囲光予測ユニット１１は、開口部２での周囲光特性が１日の所与の時刻で周囲光特性閾値を超えるという確率を示すように、１日の所与の時刻に対する周囲光予測値を供給するのに適している。この実施形態において、更に詳細には、１日の所与の時刻の間の周囲光予測値は、確率Ｐ（ν＞β、ｔ）として周囲光予測ユニット１１により供給され、ここで、ｔは所与の時刻であり、νは開口部２の周囲光特性であり、βは周囲光特性閾値である。開口部２での周囲光特性は垂直照度であるこの実施形態において、周囲光特性閾値は、垂直照度閾値、例えば、４０００Ｌｕｘの値である。
【００５１】
確率Ｐ（ν＞β、ｔ）は、例えば、１日の所与の時刻の開口部２での周囲光特性の時間的分布を統計学的にモデル化することにより決定される。この実施形態において、ガウス分布モデル
ｅｑ０１
が使用され、ここで、ｔは１日の所与の時刻であり、μは１日の所与の時刻ｔのモデルの平均、すなわち、ピークの位置であり、σ２は偏差、すなわち、１日の所与の時刻ｔでの分布の幅の尺度である。その上、ν（ｔ）は１日の所与の時刻ｔでの開口部２での周囲光特性である。平均μ及び偏差σ２は、一日以上の過去の日にわたる１日の所与の時刻ｔでの開口部２での周囲光特性の統計値を反映する。これらは、一日以上の過去の日に対する受信された検知周囲光値から、周囲光予測ユニット１１により決定される。
【００５２】
上述されたように、統計分布モデルを使用する代わりに、開口部２での周囲光特性が１日の所与の時刻で周囲光特性閾値を超えるという確率Ｐ（ν＞β、ｔ）は、開口部２での周囲光特性が周囲光特性閾値を超えた過去の周囲光検知期間の１日以上の過去の日を単純にカウントし、この値を１日以上の過去の日数により割ることにより、一日以上の過去の日の１日の所与の時刻に対する受信された検知周囲光値からも近似でき、すなわち、確率Ｐ（ν＞β、ｔ）は、以下の式を計算することにより近似できる。
ｅｑ０２
ここで、ｔは１日の所与の時刻であり、νｉ（ｔ）はＮ個の過去の日の一つでの１日の所与の時刻ｔでの開口部２での周囲光特性であり、βは周囲光特性閾値である。
【００５３】
他の実施形態では、過去の周囲光検知期間は、一日以上の過去の日を有してもよいが、周囲光予測ユニット１１は、一日以上の過去の日の１日の所与の時刻の間に受信された検知周囲光値に依存して、「直接」、すなわち、開口部２での周囲光特性の値として、１日の所与の時刻に対する周囲光予測値を供給するのに適している。
【００５４】
例えば、一つの実施形態において、周囲光予測ユニット１１は、一日以上の過去の日の１日の所与の時刻での開口部２での周囲光特性の最大値を示すような１日の所与の時刻に対する周囲光予測値を供給するのに適している。更に詳細には、この例では、１日の所与の時刻に対する周囲光予測値は、周囲光予測ユニット１１により以下により供給される。
ｅｑ０３
ここで、ｔは１日の所与の時刻であり、νｉ（ｔ）はＮ個の過去の日の一つでの１日の所与の時刻ｔでの開口部２での周囲光特性である。
【００５５】
制御装置１０は、更に、異なる周囲光調整時点で、今後の周囲光予測期間の間の周囲光予測値に依存して、周囲光調整信号を供給するための周囲光調整ユニット１２を有する。この実施形態において、今後の周囲光調整期間は、現在の周囲光調整時点から次の周囲光調整時点までの期間である。換言すれば、この実施形態において、今後の周囲光予測期間は、２つの連続した周囲光調整時点間の期間である。
【００５６】
これら異なる周囲光調整時点は、任意の適切な時間的間隔、例えば、３０分、１時間、又はそれ以上の間隔を持つ。この実施形態において、異なる周囲光調整時点間の間隔は、１時間である。
【００５７】
周囲光調整信号は、開口部２を通るスペース１への周囲光の入力を修正するための周囲光修正要素２２による使用のために適合される。この実施形態において、周囲光調整ユニット１２は、周囲光調整信号を周囲光修正要素２２に供給する。
【００５８】
この実施形態において、周囲光調整ユニット１２は、少なくとも一つの周囲光予測閾値と、今後の周囲光予測期間の間の周囲光予測値との比較に依存して周囲光調整信号を供給するのに適している。確率Ｐ（ν＞β、ｔ）、すなわち、１日の所与の時刻の間の周囲光予測値が、開口部２での周囲光特性が１日の所与の時刻での周囲光特性閾値を超えるという確率として周囲光予測ユニット１１により供給されるこの実施形態において、周囲光調整信号は、周囲光調整ユニット１２により以下の通りに供給される。
【００５９】
a)Ｐ（ν＞β、ｔ）＞δ１  ｔ１≦ｔ≦ｔ２である場合、周囲光調整信号は、開口部２を通るスペース１に入力する周囲光の量が低減されるべきことを周囲光修正要素２２に示し、ここで、δ１は第１の周囲光予測閾値であり、この例では、２０％、５０％又は８０％の確率のような確率値であり、ｔ１、ｔ２は今後の周囲光予測期間を定める。この場合には、周囲光修正要素２２は、開口部２を通ってスペース１に入力する周囲光の量を低減するために、開口部２に備えられるブラインドを完全に降ろす。
【００６０】
b)Ｐ（ν＞β、ｔ）＜δ２  ｔ１≦ｔ≦ｔ２である場合、周囲光調整信号は、開口部２を通るスペース１に入力する周囲光の量が増大されるべきことを周囲光修正要素２２に示し、ここで、δ２は第１の周囲光予測閾値δ１より小さい第２の周囲光予測閾値である。この場合には、周囲光修正要素２２は、開口部２を通ってスペース１に入力する周囲光の量を増大するために開口部２に備えられるブラインドを完全に格納する。
【００６１】
c)今後の予測期間の間の周囲光予測値が第１の周囲光予測閾値より大きくなく、第２の周囲光予測閾値より小さくない場合、周囲光調整信号は、開口部２を通るスペース１への周囲光の入力のための修正がなされるべきでないことを周囲光修正要素２２に示す。
【００６２】
換言すれば、周囲光調整ユニット１２は、現在の周囲光調整時点で、予測された周囲光状況をチェックする。周囲光調整ユニット１２は、今後の周囲光予測期間の間、開口部２での周囲光特性が「高く」なりそう、すなわち、第１の周囲光予測閾値δ１より大きくなりそうであると決定する場合、開口部２を通ってスペース１に入力する周囲光の量が低減されるべきであるという調整判断をする。他方では、周囲光調整ユニット１２は、今後の周囲光予測期間の間、開口部２での周囲光特性が「低く」なりそう、すなわち、第２の周囲光予測閾値δ２より小さくなりそうであると決定する場合、開口部２を通ってスペース１に入力する周囲光の量が増大されるべきであるという調整判断をする。最後に、周囲光調整ユニット１２は、今後の周囲光予測期間の間、開口部２での周囲光特性が全て「高く」も「低く」もないようであると決定する場合、開口部２を通ってスペース１に入力する周囲光の量が維持されるべきであるという調整判断をする。
【００６３】
周囲光予測値が上述された他の方法の１つにより決定されるとき、少なくとも一つの周囲光予測閾値と、今後の周囲光予測期間の間の周囲光予測値との対応する比較も、なされることができる。
【００６４】
この実施形態において、現在受信された検知周囲光値が検知周囲光閾値を超える場合、周囲光調整ユニット１２は、開口部を通ってスペースに入力する周囲光の量が低減されるべきことを示すような周囲光調整信号を供給するのに適している。周囲光調整は、また、開口部２での現在の周囲光状況に直接作用できる。特に、開口部での現在の周囲光特性があまり「高い」ので検知周囲光閾値を超えるとき、開口部を通ってスペースに入力する周囲光の量を低減すべきことを、周囲光調整信号により、周囲光修正要素２２に示すことができる。好ましくは、この調整判断は、２つの連続した周囲光調整時点の間の任意の時間でなされることができる。
【００６５】
制御装置１０は、更に、予測された気象データを受信するための予測された気象データ受信ユニット１４を有し、周囲光調整ユニット１２は、受信された予測された気象データに依存して周囲光調整信号を供給するのに適している。周囲光調整ユニットは、これにより調整判断をするとき、現在の天気予報を考慮に入れることができる。
【００６６】
この実施形態において、制御装置１０は、また、スペースが占有されていることを示す検知占有状態を受信するための検知占有状態受信ユニット１５を有する。占有状態は、この場合、周囲光制御システム２０により含まれる占有状態検知ユニット２２により検知される。周囲光調整ユニット１１は、受信された検知占有状態が、スペース１が占有されていないことを示すとき、開口部２を通るスペース１への周囲光の入力を修正するための周囲光調整信号を供給するのに適している。従って、必要な調整は、調整により邪魔されるユーザがスペース１にいないときは、時々、なされる。
【００６７】
図２は、開口部を通ってスペースに入力する周囲光を制御するための周囲光制御方法の実施形態を例示するフローチャートを例示的に示す。ステップ１０１において、開口部２での周囲光特性の予測である周囲光予測値が、周囲光予測ユニット１１により供給される。ステップ１０２において、周囲光調整信号は、周囲光調整ユニット１２により今後の周囲光予測期間の間の周囲光予測値に依存して、異なる周囲光調整時点で供給され、周囲光調整信号は、開口部２を通るスペース１への周囲光の入力を修正するための周囲光修正要素２２による使用に適している。ステップ１０３において、開口部２を通るスペース１への周囲光の入力は、周囲光修正要素２２により、周囲光調整信号に依存して修正される。
【００６８】
本発明が例示されて、図面及び前述の記述で詳細に例示され説明されたが、斯様な例示及び説明は、例示的且つ図示的であって制限するものではなく、本発明は、開示された実施形態に限定されない。
【００６９】
開口部２を通ってスペース１に入力する周囲光を制御するための周囲光制御システム２０の上述された実施形態において、制御装置１０は、検知周囲光受信ユニット１３を有し、周囲光制御システム２０は周囲光検知ユニット２１を有する。他の実施形態では、これらの要素は存在する必要はなく、例えば、制御装置１０の周囲光予測ユニット１１は、格納されているか又はさもなければ周囲光予測ユニット１１に供給される専用の周囲光モデルに基づいて周囲光予測値を供給するのに適している。
【００７０】
また、制御装置１０が検知占有状態受信ユニット１５を有し、周囲光制御システム２０が占有状態検知ユニット２２を有することが、周囲光制御システム２０の全ての実施形態において必要であるというわけではない。この場合には、周囲光調整ユニット１２は、スペース１の占有状態を考慮することなく調整判断をしてもよい。
【００７１】
その上、制御装置１０が予測された気象データ受信ユニット１４を有することも要求されてはいない。この場合には、周囲光予測ユニット１１は、予報される現在の天気を考慮に入れることなく、周囲光予測値を供給してもよい。
【００７２】
開口部２を通ってスペース１に入力する周囲光を制御するための周囲光制御システム２０の上述された実施形態において、周囲光予測値は、周囲光検知ユニット２１において既に決定され、その後、これらの値が、制御装置１０へ、特に周囲光調整ユニット１２へ供給されることが可能である。
【００７３】
好ましくは、制御装置１０は、開口部２を通ってスペース１に入力する周囲光の制御時に使われるユーザの好み又は要求の入力を可能にする。
【００７４】
その上、制御装置１０が１年にわたる太陽の動き、及び太陽の位置に関して開口部２の相対的な向きについてのモデルを有する場合、周囲光調整ユニット１２は、例えば、モデル化された太陽の位置に合わせてブラインドを徐々に動かすために、この実施形態では、開口部２に備えられるモーター駆動されるブラインドを有する周囲光修正要素２２を示すことにより、開口部２を通るスペース１への周囲光の入力を徐々に調整する。
【００７５】
周囲光制御システム２０は、検知された屋内照明値に依存してスペース内の屋内照明を制御する屋内照明制御システムと一体化されてもよい。例えば、斯様なシステムは、スペース内の照度を検知して、検知された照度に依存して電気的ライトを制御する。
【００７６】
開示された実施形態に対する他のバリエーションは、図面、明細書及び添付の請求の範囲の検討から、請求された本発明を実施する際の当業者により理解され、遂行できる。
【００７７】
請求項において、用語「を有する」は、他の要素又はステップを除外しないし、不定冠詞「ａ」又は「ａｎ」は複数を除外しない。
【００７８】
単一のユニット又は装置は、請求項に引用される幾つかの部材の機能を満たしてもよい。特定の手段が相互に異なる従属請求項において引用されるという単なる事実は、これらの手段の組合せが効果的に使用できないことを示してはいない。
【００７９】
コンピュータプログラムは、他のハードウェアと共に又はその一部として供給される光記憶媒体又は半導体媒体のような適切な媒体に格納され／配布されてもよいし、インターネット又は他の有線若しくは無線通信システムを介してのような他の形式で配信されてもよい。
【００８０】
請求項内の任意の参照符号は、範囲を制限するものとして解釈されてはならない。
【００８１】
本発明は、開口部を通ってスペースに入力する周囲光を制御するための周囲光制御システムに用いられる制御装置に関係する。周囲光予測ユニットは、開口部での周囲光特性の予測である周囲光予測値を供給する。周囲光調整ユニットは、異なる周囲光調整時点で、今後の周囲光予測期間の間の周囲光予測値に依存して周囲光調整信号を供給する。周囲光調整信号は、開口部を通ってスペースへの周囲光の入力を修正するための周囲光修正要素による使用のために適している。開口部での予測された周囲光状況を考慮することにより、必要な調整は、時間的に間隔を置かれた周囲光調整時点でなされることができ、結果的に、ユーザの障害が低減される。
【図１】
0005968907.tif 000002
【図２】
0005968907.tif 000003